(57)【要約】【課題】簡素な構成で、有効視野を拡大する訓練を効果的に行う。【解決手段】視覚訓練ＥＣＵ１は、ユーザの正面近傍に、ユーザの視線を向けさせる刺激である中心刺激ＭＣを表示する中心刺激表示部１１と、中心刺激ＭＣの周囲に、予め設定された所定の視野角だけ離間した位置に周辺刺激Ｍ１、Ｍ２を表示する周辺刺激表示部１２とを備え、周辺刺激表示部１２は、中心刺激ＭＣの表示周期よりも長い表示周期で、周辺刺激Ｍ１、Ｍ２を表示する。【選択図】図３
2010259769.tif 000002
【特許請求の範囲】
【請求項１】
有効視野を拡大するべく、ユーザに訓練を行わせる視覚訓練装置であって、
ユーザの正面近傍に、ユーザの視線を向けさせる刺激である中心刺激を、予め定められた表示周期で表示する中心刺激表示手段と、
中心刺激の周囲に、予め設定された所定の視野角だけ離間した位置に周辺刺激を表示する周辺刺激表示手段とを備え、
周辺刺激表示手段は、中心刺激の表示周期よりも長い表示周期で、周辺刺激を表示する、視覚訓練装置。
【請求項２】
周辺刺激表示手段は、周辺刺激の輝度を、予め設定された第１期間において漸増させ、その後、予め設定された第２期間において漸減させる、請求項１に記載の視覚訓練装置。
【請求項３】
周辺刺激表示手段は、周辺刺激の輝度の時間変化を正規分布状とするべく周辺刺激の輝度を変化させる、請求項２に記載の視覚訓練装置。
【請求項４】
周辺刺激表示手段は、中心刺激を基準とした視野角が相違する複数の位置に周辺刺激を表示する、請求項１に記載の視覚訓練装置。
【請求項５】
周辺刺激表示手段は、周辺刺激を表示する位置を、複数の位置の中からランダムに決定して表示する、請求項４に記載の視覚訓練装置。
【請求項６】
周辺刺激が確認された場合に、ユーザからの確認操作を受け付ける操作受付手段をさらに備え、
操作受付手段は、周辺刺激を表示された位置が、複数の位置の内、どの位置であるかを判別可能な確認操作を受け付ける、請求項４に記載の視覚訓練装置。
【請求項７】
中心刺激表示手段は、中心刺激の輝度を、周辺刺激の輝度以上とするべく中心刺激を表示する、請求項１に記載の視覚訓練装置。
【請求項８】
周辺刺激が確認された場合に、ユーザからの確認操作を受け付ける操作受付手段をさらに備える、請求項１に記載の視覚訓練装置。
【請求項９】
操作受付手段を介して受け付けられた確認操作が、正しい操作であるか否かを判定する操作判定手段と、
操作判定手段の判定結果に基づいて、正しい操作を行った確率である正答率を求める率算出手段と、
率算出手段によって算出された正答率を、外部から視認可能に表示する結果表示手段と、を備える、請求項８に記載の視覚訓練装置。
【請求項１０】
操作判定手段は、周辺刺激の表示期間、および、確認操作が受け付けられたタイミングに基づいて、正しい操作であるか否かを判定する、請求項９に記載の視覚訓練装置。
【請求項１１】
率算出手段によって算出された正答率を格納する率記憶手段を備え、
率算出手段は、正答率を算出する度に、率記憶手段に、算出された正答率を記録し、
結果表示手段は、率記憶手段に格納された正答率を、外部から視認可能に表示する、請求項９に記載の視覚訓練装置。
【請求項１２】
正答率に基づき、予め設定された閾値以上の正答率となる視野角である有効視野角を求める角算出手段を備え、
結果表示手段は、角算出手段によって算出された有効視野角を、外部から視認可能に表示する、請求項９に記載の視覚訓練装置。
【請求項１３】
角算出手段によって算出された有効視野角を格納する角記憶手段を備え、
角算出手段は、有効視野角を算出する度に、角記憶手段に、算出された有効視野角を記録し、
結果表示手段は、角記憶手段に格納された有効視野角を、外部から視認可能に表示する、請求項９に記載の視覚訓練装置。
【請求項１４】
該視覚訓練装置は、車両に搭載されている、請求項１に記載の視覚訓練装置。
【請求項１５】
中心刺激表示手段は、運転者の前方に配設され、文字情報を表示可能に構成された第１ディスプレイを介して、中心刺激を表示する、請求項１４に記載の視覚訓練装置。
【請求項１６】
周辺刺激表示手段は、運転者の前側方に配設され、画像情報を表示可能に構成された第２ディスプレイを介して、周辺刺激を表示する、請求項１４に記載の視覚訓練装置。
【請求項１７】
中心刺激表示手段は、光波を車両のフロントガラスに投光することにより当該フロントガラス上に画像を投影するヘッドアップディスプレイを介して、中心刺激を表示する、請求項１４に記載の視覚訓練装置。
【請求項１８】
周辺刺激が確認された場合に、ユーザからの確認操作を受け付ける操作受付手段をさらに備え
操作受付手段は、ターンレバーを介して、確認操作を受け付ける、請求項１４に記載の視覚訓練装置。
【請求項１９】
周辺刺激表示手段は、車両に搭載されたランプを点灯することによって周辺刺激を表示する、請求項１４に記載の視覚訓練装置。
【請求項２０】
ランプは、車両の外周部に配置されることを特徴とする、請求項１９に記載の視覚訓練装置。
【請求項２１】
ランプは、車両の車室内に配置されることを特徴とする、請求項１９に記載の視覚訓練装置。
【請求項２２】
車両の走行状況が予め定められた条件を満たしているか否かを判定する走行状況判定手段をさらに備え、
中心刺激表示手段および周辺刺激表示手段は、中心刺激および周辺刺激の表示の開始および停止を車両の走行状況が条件を満たしているか否かに応じて各々制御する、請求項１４に記載の視覚訓練装置。
【請求項２３】
走行状況判定手段は、車両が予め定められた閾値以上の走行速度で、且つ、予め定められた閾値以下の操舵角で走行中であるか否かを判定し、
中心刺激表示手段および周辺刺激表示手段は、車両が予め定められた閾値以上の走行速度で、且つ、予め定められた閾値以下の操舵角で走行中である場合、中心刺激および周辺刺激の表示を各々開始する、請求項２２に記載の視覚訓練装置。
【請求項２４】
走行状況判定手段は、車両が交差点の近傍を走行中であるか否か判定し、
周辺刺激表示手段および周辺刺激表示手段は、車両が交差点の近傍を走行中であると判定された場合、中心刺激および周辺刺激の表示を各々停止する、請求項２２に記載の視覚訓練装置。
【請求項２５】
走行状況判定手段は、車両が高速道路へ進入してから予め定められた所定時間が経過したか否かを判定し、
中心刺激表示手段および周辺刺激表示手段は、車両が高速道路へ進入してから予め定められた所定時間が経過したと判定された場合、中心刺激および周辺刺激の表示を各々開始する、請求項２２に記載の視覚訓練装置。
【発明の詳細な説明】
【技術分野】
【０００１】
本発明は、例えば、有効視野を拡大するべく、ユーザに訓練を行わせる視覚訓練装置に関する。より特定的には、例えば、車両に搭載され、有効視野を拡大するべく、ユーザに訓練を行わせる視覚訓練装置に関する。
【背景技術】
【０００２】
近年、高齢者の運転する車両による事故が発生する要因として、加齢に伴って有効視野角が狭くなることが指摘されている。そこで、従来、有効視野を拡大するべく、ユーザに訓練を行わせる種々の方法、装置等が提案されている（例えば、特許文献１参照）。
【０００３】
特許文献１に記載の周辺視力訓練装置は、記憶装置に記憶されると共に表示装置に表示されたシンボルを、レンズとミラーにより訓練者の視野の中心と周辺とに結像させ、その表示内容をコントローラにより予め定めた手順により変化させる。なお、訓練者が装着するヘルメットにより表示装置、レンズおよびミラーを保持する。特許文献１に記載の周辺視力訓練装置では、模擬の運動を行いながら周辺視力のみの訓練を行うことができる。
【先行技術文献】
【特許文献】
【０００４】
【特許文献１】特開平５−７６５７３号公報
【発明の概要】
【発明が解決しようとする課題】
【０００５】
しかしながら、特許文献１に記載の周辺視力訓練装置では、訓練者はヘルメットを装着する必要があり、拘束感があるため、継続して訓練を行うことが困難となる場合がある。また、周辺視力訓練装置を購入等する必要があるため、訓練を行うことが更に困難となる虞がある。
【０００６】
本発明は、上記事情に鑑みてなされたものであって、その目的とするところは、簡素な構成で、有効視野を拡大する訓練を効果的に行うことの可能な視覚訓練装置を提供することにある。
【課題を解決するための手段】
【０００７】
上記目的を達成するために、本発明は、以下の特徴を有している。第１の発明は、有効視野を拡大するべく、ユーザに訓練を行わせる視覚訓練装置であって、ユーザの正面近傍に、ユーザの視線を向けさせる刺激である中心刺激を表示する中心刺激表示手段と、中心刺激の周囲に、予め設定された所定の視野角だけ離間した位置に周辺刺激を表示する周辺刺激表示手段と、周辺刺激が確認された場合に、ユーザからの確認操作を受け付ける操作受付手段と、を備え、周辺刺激表示手段が、中心刺激の表示周期よりも長い表示周期で、周辺刺激を表示する。
【０００８】
第２の発明は、上記第１の発明において、周辺刺激表示手段が、周辺刺激の輝度を、予め設定された第１期間において漸増させ、その後、予め設定された第２期間において漸減させる。
【０００９】
第３の発明は、上記第２の発明において、周辺刺激表示手段が、周辺刺激の輝度の時間変化を正規分布状とするべく周辺刺激の輝度を変化させる。
【００１０】
第４の発明は、上記第１の発明において、周辺刺激表示手段が、中心刺激を基準とした視野角が相違する複数の位置に周辺刺激を表示する。
【００１１】
第５の発明は、上記第４の発明において、周辺刺激表示手段が、周辺刺激を表示する複数の位置をランダムに決定して表示する。
【００１２】
第６の発明は、上記第４の発明において、操作受付手段が、周辺刺激を表示された位置が、複数の位置の内、どの位置であるかを判別可能な確認操作を受け付ける。
【００１３】
第７の発明は、上記第１の発明において、中心刺激表示手段が、中心刺激の輝度を、周辺刺激の輝度以上とするべく中心刺激を表示する。
【００１４】
第８の発明は、上記第１の発明において、周辺刺激が確認された場合に、ユーザからの確認操作を受け付ける操作受付手段をさらに備える。
【００１５】
第９の発明は、上記第８の発明において、操作受付手段を介して受け付けられた確認操作が、正しい操作であるか否かを判定する操作判定手段と、操作判定手段の判定結果に基づいて、正しい操作を行った確率である正答率を求める率算出手段と、率算出手段によって算出された正答率を、外部から視認可能に表示する結果表示手段と、を備える。
【００１６】
第１０の発明は、上記第９の発明において、操作判定手段が、周辺刺激の表示期間、および、確認操作が受け付けられたタイミングに基づいて、正しい操作であるか否かを判定する。
【００１７】
第１１の発明は、上記第９の発明において、率算出手段によって算出された正答率を格納する率記憶手段を備え、率算出手段が、正答率を算出する度に、率記憶手段に、算出された正答率を記録し、結果表示手段が、率記憶手段に格納された正答率を、外部から視認可能に表示する。
【００１８】
第１２の発明は、上記第９の発明において、正答率に基づき、予め設定された閾値以上の正答率となる視野角である有効視野角を求める角算出手段を備え、結果表示手段が、角算出手段によって算出された有効視野角を、外部から視認可能に表示する。
【００１９】
第１３の発明は、上記第９の発明において、角算出手段によって算出された有効視野角を格納する角記憶手段を備え、角算出手段が、有効視野角を算出する度に、角記憶手段に、算出された有効視野角を記録し、結果表示手段が、角記憶手段に格納された有効視野角を、外部から視認可能に表示する。
【００２０】
第１４の発明は、上記第１の発明において、該視覚訓練装置が、車両に搭載されている。
【００２１】
第１５の発明は、上記第１４の発明において、中心刺激表示手段が、運転者の前方に配設され、文字情報を表示可能に構成された第１ディスプレイを介して、中心刺激を表示する。
【００２２】
第１６の発明は、上記第１４の発明において、周辺刺激表示手段が、運転者の前側方に配設され、画像情報を表示可能に構成された第２ディスプレイを介して、周辺刺激を表示する。
【００２３】
第１７の発明は、上記第１４の発明において、中心刺激表示手段は、光波を車両のフロントガラスに投光することにより当該フロントガラス上に画像を投影するヘッドアップディスプレイを介して、中心刺激を表示する。
【００２４】
第１８の発明は、上記第１４の発明において、周辺刺激が確認された場合に、ユーザからの確認操作を受け付ける操作受付手段をさらに備え、操作受付手段が、ターンレバーを介して、確認操作を受け付ける。
【００２５】
第１９の発明は、上記第１４の発明において、周辺刺激表示手段は、車両に搭載されたランプを点灯することによって周辺刺激を表示する。
【００２６】
第２０の発明は、上記第１９の発明において、ランプは、車両の外周部に配置されることを特徴とする。
【００２７】
第２１の発明は、上記第１９の発明において、ランプは、車両の車室内に配置されることを特徴とする。
【００２８】
第２２の発明は、上記第１４の発明において、車両の走行状況が予め定められた条件を満たしているか否かを判定する走行状況判定手段をさらに備え、中心刺激表示手段および周辺刺激表示手段は、中心刺激および周辺刺激の表示の開始および停止を車両の走行状況が条件を満たしているか否かに応じて各々制御する。
【００２９】
第２３の発明は、上記第２２の発明において、走行状況判定手段は、車両が予め定められた閾値以上の走行速度で、且つ、予め定められた閾値以下の操舵角で走行中であるか否かを判定し、中心刺激表示手段および周辺刺激表示手段は、車両が予め定められた閾値以上の走行速度で、且つ、予め定められた閾値以下の操舵角で走行中である場合、中心刺激および周辺刺激の表示を各々開始する。
【００３０】
第２４の発明は、上記第２２の発明において、走行状況判定手段は、車両が交差点の近傍を走行中であるか否か判定し、周辺刺激表示手段および周辺刺激表示手段は、車両が交差点の近傍を走行中であると判定された場合、中心刺激および周辺刺激の表示を各々停止する。
【００３１】
第２５の発明は、上記第２２の発明において、走行状況判定手段は、車両が高速道路へ進入してから予め定められた所定時間が経過したか否かを判定し、中心刺激表示手段および周辺刺激表示手段は、車両が高速道路へ進入してから予め定められた所定時間が経過したと判定された場合、中心刺激および周辺刺激の表示を各々開始する。
【発明の効果】
【００３２】
上記第１の発明によれば、ユーザの正面近傍に、ユーザの視線を向けさせる刺激である中心刺激が表示される。また、中心刺激の周囲に、予め設定された所定の視野角だけ離間した位置に周辺刺激が表示される。ここで、中心刺激の表示周期よりも長い表示周期で、周辺刺激が表示される。従って、簡素な構成で、有効視野を拡大する訓練を効果的に行うことができる。
【００３３】
すなわち、中心刺激の周囲に予め設定された所定の視野角だけ離間した位置に、周辺刺激が、中心刺激の表示周期よりも長い表示周期で表示されるため、中心刺激にユーザの注意若しくは視線又はその両方を適度に向けさせた状態で、ユーザに中心刺激から所定の視野角だけ離間した位置の周辺刺激を確認させることができるので、有効視野を拡大する訓練を効果的に行うことができるのである。
【００３４】
上記第２の発明によれば、周辺刺激の輝度が、予め設定された第１期間において漸増され、その後、予め設定された第２期間において漸減される。従って、有効視野を拡大する訓練を更に効果的に行うことができる。
【００３５】
すなわち、周辺刺激の輝度が、漸増された後、漸減されるため、ユーザは、周辺刺激が表示されたことに気付き難いので、有効視野を拡大する訓練を更に効果的に行うことができるのである。
【００３６】
上記第３の発明によれば、周辺刺激の輝度の時間変化を正規分布状とするべく周辺刺激の輝度が変化される。従って、有効視野を拡大する訓練を更に効果的に行うことができる。
【００３７】
すなわち、周辺刺激の輝度の時間変化を正規分布状とするべく周辺刺激の輝度が変化されるため、ユーザは、周辺刺激が表示されたことに気付き難いので、有効視野を拡大する訓練を更に効果的に行うことができるのである。
【００３８】
上記第４の発明によれば、中心刺激を基準とした視野角が相違する複数の位置に周辺刺激が表示される。従って、有効視野を拡大する訓練を効果的に行うことができる。
【００３９】
すなわち、中心刺激を基準とした視野角が相違する複数の位置に周辺刺激が表示されるため、ユーザの有効視野を更に正確に確認することができるので、有効視野を拡大する訓練を更に効果的に行うことができるのである。
【００４０】
上記第５の発明によれば、周辺刺激を表示する複数の位置がランダムに決定されて表示される。従って、有効視野を拡大する訓練を更に効果的に行うことができる。
【００４１】
すなわち、周辺刺激を表示する複数の位置がランダムに決定されて表示されるため、周辺刺激が表示される位置を予測することが困難となるので、有効視野を拡大する訓練を更に効果的に行うことができるのである。
【００４２】
上記第６の発明によれば、周辺刺激を表示された位置が、複数の位置の内、どの位置であるかを判別可能な確認操作が受け付けられる。従って、有効視野を拡大する訓練を更に効果的に行うことができる。
【００４３】
すなわち、周辺刺激を表示された位置が、複数の位置の内、どの位置であるかを判別可能な確認操作が受け付けられるため、ユーザの有効視野を更に正確に確認することができるので、有効視野を拡大する訓練を更に効果的に行うことができるのである。
上記第７の発明によれば、中心刺激の輝度を、周辺刺激の輝度以上とするべく中心刺激が表示される。従って、有効視野を拡大する訓練を更に効果的に行うことができる。
【００４４】
すなわち、中心刺激の輝度を、周辺刺激の輝度以上とするべく中心刺激が表示されるため、ユーザの視線を適度に中心刺激に集中させることができるので、有効視野を拡大する訓練を更に効果的に行うことができるのである。
【００４５】
上記第８の発明によれば、ユーザからの確認操作が受け付けられるため、ユーザが中心刺激および周辺刺激を確認したか否かを簡素な構成で確認しつつ有効視野を拡大する訓練を行うことができる。
【００４６】
上記第９の発明によれば、受け付けられた確認操作が、正しい操作であるか否かが判定される。また、その判定結果に基づいて、正しい操作を行った確率である正答率が求められる。更に、算出された正答率が、外部から視認可能に表示される。従って、有効視野を拡大する訓練を更に効果的に行うことができる。
【００４７】
すなわち、正しい操作を行った確率である正答率が、外部から視認可能に表示されるため、ユーザの有効視野を適正に評価することができるので、有効視野を拡大する訓練を更に効果的に行うことができるのである。
【００４８】
上記第１０の発明によれば、周辺刺激の表示期間、および、確認操作が受け付けられたタイミングに基づいて、正しい操作であるか否かが判定される。従って、確認操作が正しい操作であるか否かを適正に評価することができる。
【００４９】
すなわち、例えば、周辺刺激の表示期間からユーザの反応期間（例えば、１００ｍｓｅｃ）だけ遅延した期間内に、確認操作が受け付けられた場合に、正しい操作であると判定することによって、確認操作が正しい操作であるか否かを適正に評価することができるのである。
【００５０】
上記第１１の発明によれば、正答率が算出される度に、算出された正答率が、率記憶手段に記録される。また、率記憶手段に格納された正答率が、外部から視認可能に表示される。従って、有効視野を拡大する訓練を更に効果的に行うことができる。
【００５１】
すなわち、率記憶手段に格納された正答率が、例えば、正答率の推移として表示されるため、ユーザは訓練の効果を適正に評価することができるので、有効視野を拡大する訓練を更に効果的に行うことができるのである。
【００５２】
上記第１２の発明によれば、正答率に基づき、予め設定された閾値以上の正答率となる視野角である有効視野角が求められる。また、算出された有効視野角が、外部から視認可能に表示される。従って、有効視野を拡大する訓練を更に効果的に行うことができる。
【００５３】
すなわち、予め設定された閾値以上の正答率となる視野角である有効視野角が求められるため、閾値を適正な値（例えば、６３％）に設定することによって、適正な有効視野角を求めることができる。また、適正な有効視野角が視認可能に表示されるため、有効視野を拡大する訓練を更に効果的に行うことができるのである。
【００５４】
上記第１３の発明によれば、有効視野角が算出される度に、算出された有効視野角が角記憶手段に記録される。また、角記憶手段に格納された有効視野角が、外部から視認可能に表示される。従って、有効視野を拡大する訓練を更に効果的に行うことができる。
【００５５】
すなわち、角記憶手段に格納された有効視野角が、例えば、有効視野角の推移として表示されるため、ユーザは訓練の効果を適正に評価することができるので、有効視野を拡大する訓練を更に効果的に行うことができるのである。
【００５６】
上記第１４の発明によれば、該視覚訓練装置が、車両に搭載されている。従って、更に簡素な構成で、有効視野を拡大する訓練を行うことが可能となる。
【００５７】
すなわち、該視覚訓練装置が、車両に搭載されているため、例えば、車両に搭載されているディスプレイ等を介して、中心刺激、周辺刺激等を表示することが可能となり、また、車両に搭載されているターンレバー等を介して、ユーザの操作を受け付けることが可能となるので、更に簡素な構成で、有効視野を拡大する訓練を行うことが可能となるのである。
【００５８】
上記第１５の発明によれば、運転者の前方に配設され、文字情報を表示可能に構成された第１ディスプレイを介して、中心刺激が表示される。従って、更に簡素な構成で、有効視野を拡大する訓練を行うことができる。
【００５９】
すなわち、運転者の前方に、ガイダンス情報等を表示するべく配設された第１ディスプレイを介して、中心刺激が表示されるため、中心刺激を表示するためにディスプレイ等を新たに配設する必要がないので、更に簡素な構成で、有効視野を拡大する訓練を行うことができるのである。
【００６０】
上記第１６の発明によれば、運転者の前側方に配設され、画像情報を表示可能に構成された第２ディスプレイを介して、周辺刺激が表示される。従って、更に簡素な構成で、有効視野を拡大する訓練を行うことができる。
【００６１】
すなわち、運転者の前側方に配設され、画像情報を表示可能に構成された第２ディスプレイを介して周辺刺激が表示されるため、予めナビゲーション装置等が搭載された車両においては周辺刺激を表示するためにディスプレイ等を新たに配設する必要がないので、更に簡素な構成で、有効視野を拡大する訓練を行うことができるのである。
【００６２】
上記第１７の発明によれば、運転者はフロントガラス越しに車両前方を視認しつつ、フロントガラスに投影される中心刺激を確認することができる。したがって、運転者が中心刺激を注視し過ぎて車両前方の視認を怠ることを防ぐことができる。
【００６３】
上記第１８の発明によれば、ターンレバーを介して、確認操作が受け付けられる。従って、更に簡素な構成で、有効視野を拡大する訓練を行うことができる。
【００６４】
すなわち、ターンレバーを介して、確認操作が受け付けられるため、確認操作を受け付けるための操作端を新たに配設する必要がないので、更に簡素な構成で、有効視野を拡大する訓練を行うことができるのである。
【００６５】
上記第１９の発明によれば、ランプによって周辺刺激を表示することができるため、複数箇所に周辺刺激を表示するために多数の画像表示装置を備える必要がない。したがって、安価且つ容易に周辺刺激を表示することができる。
【００６６】
上記第２０の発明によれば、車両外周部に備えられたランプを周辺刺激としてユーザに視認させることによって、当該ランプが備えられた車両外周部の領域へユーザの視野を拡大することができる。
【００６７】
上記第２１の発明によれば、車両内部に備えられたランプを周辺刺激としてユーザに視認させることによって、当該ランプが備えられた車両内部の領域へユーザの視野を拡大することができる。
【００６８】
上記第２２の発明によれば、車両が所定の走行状況にある場合に有効視野を拡大するための訓練が自動的に開始されるため、運転者は当該訓練の開始するための操作を行わずとも適切なタイミングで訓練を行うことができる。
【００６９】
上記第２３の発明によれば、車両が比較的高い速度で直進走行している状況、すなわち、運転者の視野が狭くなり易い単調な走行状況において有効視野を拡大するための訓練を開始することができる。
【００７０】
上記第２４の発明によれば、車両が交差点近傍を走行している状況、すなわち、運転者がハンドル操作や車両周囲の状況を視認すべき状況において、中心刺激および周辺刺激の表示を停止させることができる。したがって、運転者が中心刺激および周辺刺激に気をとられてハンドル操作を誤ったり、周囲の目視を怠ったりする可能性を低減することができる。
【００７１】
上記第２５の発明によれば、高速道路において高速走行している状況、すなわち、運転者の視野が狭くなり易い単調な走行状況において有効視野を拡大するための訓練を開始することができる。
【図面の簡単な説明】
【００７２】
【図１】第１の実施形態に係る視覚訓練装置の構成の一例を示すブロック図
【図２】第１の実施形態に係る視覚訓練装置の構成の一例を示す斜視図
【図３】第１の実施形態に係る視覚訓練ＥＣＵの機能構成の一例を示すブロック図
【図４】中心刺激、周辺刺激の一例を示す説明図
【図５】周辺刺激、確認操作の一例を示すタイミングチャート
【図６】有効視野角の算出方法の一例を示すグラフ
【図７】結果表示画面の一例を示す画面図
【図８】第１の実施形態に係る視覚訓練ＥＣＵの動作の一例を示すフローチャート（前半部）
【図９】第１の実施形態に係る視覚訓練ＥＣＵの動作の一例を示すフローチャート（後半部）
【図１０】効果確認テストを行った実験装置の構成の一例を示す平面図、側面図
【図１１】効果確認テストのテスト画面の一例を示す画面図
【図１２】効果確認テストのテスト結果の一例を示す折れ線グラフ
【図１３】第１の実施形態に係る視覚訓練装置で訓練した後に実施した効果確認テストのテスト結果の一例を示すレーダーチャート
【図１４】第２の実施形態に係る視覚訓練装置の構成の一例を示すブロック図
【図１５】第２の実施形態に係る視覚訓練装置の構成の一例を示す搭載図
【図１６】第２の実施形態に係る視覚訓練ＥＣＵの機能構成の一例を示すブロックチャート
【図１７】第２の実施形態に係る視覚訓練ＥＣＵの動作の一例を示すフローチャート
【図１８】第２の実施形態に係る視覚訓練装置で訓練した後に実施した効果確認テストのテスト結果の一例を示すレーダーチャート
【発明を実施するための形態】
【００７３】
（第１の実施形態）
以下、図面を参照して本発明第１の実施形態に係る視覚訓練装置の実施形態について説明する。本実施形態に係る視覚訓練装置は、車両に搭載され、有効視野を拡大するべく、ユーザに訓練を行わせる視覚訓練装置である。まず、図１、図２を用いて、本発明に係る視覚訓練装置の構成について説明する。
【００７４】
図１は、第１の実施形態に係る視覚訓練装置の構成の一例を示すブロック図である。図２は、第１の実施形態に係る視覚訓練装置の構成の一例を示す斜視図である。図１に示すように、本発明に係る視覚訓練ＥＣＵ（Electronic Control Unit）１（＝視覚訓練装置に相当する）は、入力機器としてのターンレバー２と通信可能に接続され、出力機器３としての第１ディスプレイ３１および第２ディスプレイ３２と通信可能に接続されている。
【００７５】
ターンレバー２は、図２に示すように、車両ＶＣにおいて、運転者の前方右側に、運転者からの方向指示操作を受け付けるべく配設されたものであって、第１の実施形態に係る視覚訓練装置においては、第２ディスプレイ３２に表示された周辺刺激が確認された場合に、運転者等のユーザからの確認操作を受け付けるものである。また、ターンレバー２は、受け付けた操作信号を、視覚訓練ＥＣＵ１（図３に示す操作受付部１３）に出力する。
【００７６】
具体的には、確認操作は、図２に示すように、以下のように設定されている。第２ディスプレイ３２の左下端に第１周辺刺激Ｍ１が表示された場合には、確認操作は、左折時の方向指示操作であるターンレバー２を左上方に傾斜させる第１操作Ｄ１に設定されている。また、第２ディスプレイ３２の右上端に第２周辺刺激Ｍ２が表示された場合には、確認操作は、右折時の方向指示操作であるターンレバー２を右下方に傾斜させる第２操作Ｄ２に設定されている。
【００７７】
第１ディスプレイ３１は、ＬＣＤ（Liquid Crystal Display）等からなり、図２に示すように、車両ＶＣにおいて、運転者に対してガイダンス情報等を表示するべく運転者の正面近傍に配設されたディスプレイであって、第１の実施形態に係る視覚訓練装置においては、視覚訓練ＥＣＵ１（図３に示す中心刺激表示部１１）からの指示に従って、中心刺激を表示するものである。
【００７８】
第２ディスプレイ３２は、ＬＣＤ（Liquid Crystal Display）等からなり、図２に示すように、車両ＶＣにおいて、運転者に対してナビゲーション情報等を含む画像情報を表示するべく運転者の前方左側に配設されたディスプレイであって、第１の実施形態に係る視覚訓練装置においては、視覚訓練ＥＣＵ１（図３に示す周辺刺激表示部１２）からの指示に従って、周辺刺激（第１周辺刺激Ｍ１、第２周辺刺激Ｍ２）を表示すると共に、視覚訓練ＥＣＵ１（図３に示す結果表示部１７）からの指示に従って、結果表示画面（図６参照）を表示するものである。
【００７９】
図３は、第１の実施形態に係る視覚訓練ＥＣＵ１の機能構成の一例を示すブロック図である。図３に示すように、視覚訓練ＥＣＵ１は、機能的に、中心刺激表示部１１、周辺刺激表示部１２、操作受付部１３、操作判定部１４、算出部１５、記憶部１６、および、結果表示部１７を備えている。
【００８０】
なお、視覚訓練ＥＣＵ１は、視覚訓練ＥＣＵ１の適所に配設されたマイクロコンピュータに、視覚訓練ＥＣＵ１の適所に配設されたＲＯＭ（Read Only Memory）等に予め格納された制御プログラムを実行させることにより、当該マイクロコンピュータを、機能的に、中心刺激表示部１１、周辺刺激表示部１２、操作受付部１３、操作判定部１４、算出部１５、記憶部１６、結果表示部１７等の機能部として機能させる。
【００８１】
記憶部１６（率記憶手段、角記憶手段に相当する）は、算出部１５によって算出された正答率および有効視野角を格納する機能部である。正答率および有効視野角は、算出部１５によって記憶部１６に記録される（＝書き込まれる）。記憶部１６に格納された正答率および有効視野角は、結果表示部１７によって読み出される。
【００８２】
中心刺激表示部１１（中心刺激表示手段に相当する）は、第１ディスプレイ３１を介して、運転者等のユーザの正面近傍に、ユーザの視線を向けさせる刺激である中心刺激ＭＣ（図４参照）を表示する機能部である。また、中心刺激表示部１１は、第１ディスプレイ３１上に、中心刺激ＭＣとして、ＲＳＶＰ（Rapid Serial Visual Presentation）刺激を表示する。ここで、ＲＳＶＰ刺激とは、具体的には、Ａ〜Ｚのアルファベットと、２〜９の数字を、１文字当たり略１４０ｍｓｅｃ〜２００ｍｓｅｃの間、表示するものであって、数字が表示された際に、ユーザにその数字を答えさせるものである。
【００８３】
また、中心刺激ＭＣの大きさは、視野角が略１．０度となる大きさであって、ここでは、例えば、縦方向１４ｍｍ×横方向１２ｍｍである。更に、中心刺激として表示される文字は、背景を黒色として、例えば、白色で、周辺刺激Ｍ１、Ｍ２より明るい輝度（例えば、５４ｃｄ／ｍ2）で表示される。加えて、中心刺激表示部１１は、予め設定された訓練
期間（ここでは、１０分間）の間、第１ディスプレイ３１上に、中心刺激ＭＣとしてＲＳＶＰ刺激を表示する。なお、ここでは、中心刺激表示部１１は、車両ＶＣの適所に配設された訓練実行開始ボタンが押下された場合に、有効視野を拡大する訓練を開始する。
【００８４】
このようにして、中心刺激ＭＣとして、ＲＳＶＰ刺激が表示されるため、ユーザの視線を適度に中心刺激ＭＣに集中させることができるので、有効視野を拡大する訓練を効果的に行うことができる。
【００８５】
本実施形態では、中心刺激表示部１１が、中心刺激ＭＣとして、ＲＳＶＰ刺激を表示する場合について説明するが、中心刺激表示部１１が、中心刺激ＭＣとして、アルファベットおよび数字の少なくとも一方を含む文字を表示する形態であれば良い。例えば、中心刺激表示部１１が、中心刺激ＭＣとして、アルファベットを表示する形態でも良いし、数字を表示する形態でも良い。また、中心刺激表示部１１が、ひらがなおよびカタカナの少なくとも一方を含む文字を表示する形態でも良い。
【００８６】
また、中心刺激表示部１１が、１文字当たり略１４０ｍｓｅｃ〜２００ｍｓｅｃの間、表示するため、ユーザの視線を適度に中心刺激ＭＣに集中させることができるので、有効視野を拡大する訓練を更に効果的に行うことができる。すなわち、１文字当たりの表示時間が長すぎると、ユーザが極めて容易に文字を判読できるため、中心刺激ＭＣに集中しなくなり、逆に、１文字当たりの表示時間が短すぎると判読が不可能となるため、中心刺激ＭＣに集中しなくなるのである。
【００８７】
更に、中心刺激ＭＣの大きさを視野角として略１．０度とするべく中心刺激ＭＣが表示されるため、視力の弱い人でも充分認識可能な大きさの中心刺激ＭＣが表示されるので、ユーザの視力の影響を排除して、有効視野を拡大する訓練を行うことができる。
【００８８】
加えて、中心刺激ＭＣの輝度を、周辺刺激Ｍ１、Ｍ２の輝度以上とするべく中心刺激ＭＣが表示されるため、ユーザの視線を適度に中心刺激ＭＣに集中させることができるので、有効視野を拡大する訓練を更に効果的に行うことができる。
【００８９】
また、運転者の前方に、ガイダンス情報等を表示するべく配設された第１ディスプレイ３１を介して、中心刺激ＭＣが表示されるため、中心刺激ＭＣを表示するためにディスプレイ等を新たに配設する必要がないので、更に簡素な構成で、有効視野を拡大する訓練を行うことができる。
【００９０】
本実施形態では、中心刺激表示部１１が、第１ディスプレイ３１を介して中心刺激ＭＣを表示する場合について説明するが、中心刺激表示部１１が、運転者の前方に配設されたＬＣＤ等のディスプレイを介して中心刺激ＭＣを表示する形態であれば良い。例えば、中心刺激表示部１１が、インスツルメントパネルの適所に搭載されたＬＣＤ等のディスプレイを介して中心刺激ＭＣを表示する形態でも良い。
【００９１】
周辺刺激表示部１２（周辺刺激表示手段に相当する）は、第２ディスプレイ３２を介して、中心刺激ＭＣの周囲に、予め設定された所定の視野角だけ離間した位置に周辺刺激Ｍ１、Ｍ２を表示する機能部である。また、周辺刺激表示部１２は、第２ディスプレイ３２の４隅の内、運転者からの視野角の差が最大となる２箇所（ここでは、左下隅、右上隅）に周辺刺激（＝第１周辺刺激Ｍ１、第２周辺刺激Ｍ２）を表示する。
【００９２】
図４は、中心刺激ＭＣ、周辺刺激Ｍ１、Ｍ２の一例を示す説明図である。図の略中央部に、第１ディスプレイ３１が配設されており、第１ディスプレイ３１上に、中心刺激ＭＣ（ここでは、「Ａ」の文字）が表示されている。そして、図の左下部に、第２ディスプレイ３２が配設されており、第２ディスプレイ３２の左下隅に第１周辺刺激Ｍ１が表示され、右上隅に第２周辺刺激Ｍ２が表示されている。
【００９３】
第１周辺刺激Ｍ１は、中心刺激ＭＣから、予め設定された所定の視野角θ１（例えば、３０°）だけ離間した位置Ａ１に表示される。また、第２周辺刺激Ｍ２は、中心刺激ＭＣから、予め設定された所定の視野角θ２（例えば、４０°）だけ離間した位置Ａ２に表示される。なお、第１周辺刺激Ｍ１および第２周辺刺激Ｍ２は、背景を黒色として、例えば、白色の円（図４では、便宜上、黒色の円として表記している）で、中心刺激ＭＣより暗い輝度（例えば、最大４４ｃｄ／ｍ2）で表示される。また、第１周辺刺激Ｍ１および第２周
辺刺激Ｍ２の大きさは、視野角が略１．２度となる大きさであって、ここでは、例えば、直径１７ｍｍの円である。
【００９４】
このようにして、運転者の前側方に配設され、ナビゲーション情報等の画像を表示可能に構成された第２ディスプレイ３２を介して、周辺刺激Ｍ１、Ｍ２が表示されるため、周辺刺激Ｍ１、Ｍ２を表示するためにディスプレイ等を新たに配設する必要がないので、簡素な構成で、有効視野を拡大する訓練を行うことができる。
【００９５】
また、第２ディスプレイ３２の４隅の内、運転者からの視野角の差が最大となる２箇所（ここでは、左下隅、右上隅）に周辺刺激（＝第１周辺刺激Ｍ１、第２周辺刺激Ｍ２）が表示されるため、２箇所に周辺刺激Ｍ１、Ｍ２を表示するためにディスプレイ等を新たに配設する必要がなく、且つ、ユーザの有効視野を正確に確認することができるので、簡素な構成で、有効視野を拡大する訓練を効果的に行うことができる。すなわち、第１周辺刺激Ｍ１を用いて、視野角θ１についての訓練を行うことができ、第２周辺刺激Ｍ２を用いて、視野角θ２についての訓練を行うことができるのである。
【００９６】
本実施形態では、周辺刺激表示部１２が、第２ディスプレイ３２上の２箇所に周辺刺激（＝第１周辺刺激Ｍ１、第２周辺刺激Ｍ２）を表示する場合について説明するが、周辺刺激表示部１２が、第２ディスプレイ３２上の複数箇所に周辺刺激を表示する形態であれば良い。例えば、周辺刺激表示部１２が、第２ディスプレイ３２上の３箇所に周辺刺激（例えば、第１周辺刺激Ｍ１、第２周辺刺激Ｍ２、および、両者の中点位置に表示する第３周辺刺激）を表示する形態でも良い。
【００９７】
更に、周辺刺激Ｍ１、Ｍ２として、認識の困難性に関して個人差の少ない白色の円が表示されるため、個人差を排除して、有効視野を拡大する訓練を行うことができる。
【００９８】
本実施形態では、周辺刺激表示部１２が、周辺刺激Ｍ１、Ｍ２として、白色の円を表示する場合について説明するが、周辺刺激表示部１２が、周辺刺激Ｍ１、Ｍ２として、その他の図形、文字等を表示する形態でも良い。例えば、周辺刺激Ｍ１、Ｍ２が、中心刺激ＭＣからの視野角の小さい位置に表示される場合には、周辺刺激Ｍ１、Ｍ２を、認識の困難な図形（例えば、細い線からなる図形等）、文字等とすることによって、有効視野を拡大する訓練を行うことができる。
【００９９】
加えて、周辺刺激Ｍ１、Ｍ２の大きさを視野角として略１．２度とするべく周辺刺激Ｍ１、Ｍ２が表示されるため、視力の弱い人でも充分認識可能な大きさの周辺刺激が表示されるので、視力の影響を排除して、有効視野を拡大する訓練を行うことができる。
【０１００】
図５は、周辺刺激、確認操作の一例を示すタイミングチャートである。図の横軸は時間であって、上側から順に、第１周辺刺激Ｍ１の輝度、第２周辺刺激Ｍ２の輝度、第１操作Ｄ１の正答期間、第２操作Ｄ２の正答期間を示している。ここでは、第１周辺刺激Ｍ１が表示された後、第２周辺刺激Ｍ２が表示される場合について説明する。まず、図に示すように、第１周辺刺激Ｍ１は、時点Ｔ０から輝度が漸増し、第１期間Ｐ１（ここでは、２００ｍｓｅｃ）経過後、時点Ｔ１から輝度が漸減し、第２期間Ｐ２（ここでは、２００ｍｓｅｃ）経過後、時点Ｔ２にて輝度が「０」になる。次に、第２周辺刺激Ｍ２は、時点Ｔ２から期間Ｐ３（例えば、１秒）経過後の、時点Ｔ３から輝度が漸増し、第１期間Ｐ１（ここでは、２００ｍｓｅｃ）経過後、時点Ｔ４から輝度が漸減し、第２期間Ｐ２（ここでは、２００ｍｓｅｃ）経過後、時点Ｔ５にて輝度が「０」になる。
【０１０１】
また、図に示すように、第１期間Ｐ１および第２期間Ｐ２において、周辺刺激表示部１２は、第１周辺刺激Ｍ１、第２周辺刺激Ｍ２の輝度の時間変化を正規分布状とするべく第１周辺刺激Ｍ１、第２周辺刺激Ｍ２の輝度を変化させる。
【０１０２】
更に、図５では、周辺刺激表示部１２が、第１周辺刺激Ｍ１を表示した後、第２周辺刺激Ｍ２を表示する場合について説明したが、周辺刺激表示部１２は、第１周辺刺激Ｍ１を表示するか、又は、第２周辺刺激Ｍ２を表示するかをランダムに決定する。すなわち、例えば、周辺刺激表示部１２は、０〜９までの乱数を発生させて、奇数が発生された場合に、第１周辺刺激Ｍ１を表示し、偶数が発生された場合に、第２周辺刺激Ｍ２を表示する。
【０１０３】
加えて、図５では、第１周辺刺激Ｍ１（又は、第２周辺刺激Ｍ２）の表示終了から次の第１周辺刺激Ｍ１（又は、第２周辺刺激Ｍ２）を表示開始するまでの期間Ｐ３が１秒に設定されている。すなわち、図５では、周辺刺激表示部１２は、第１周辺刺激Ｍ１（又は、第２周辺刺激Ｍ２）を４００ｍｓｅｃだけ表示した後、期間Ｐ３（＝１秒）経過した時点で、次の第１周辺刺激Ｍ１（又は、第２周辺刺激Ｍ２）を４００ｍｓｅｃだけ表示する。この動作を予め設定された訓練期間（ここでは、１０分間）の間、繰り返す。
【０１０４】
このようにして、第１期間Ｐ１において周辺刺激Ｍ１、Ｍ２の輝度が漸増し、第２期間Ｐ２において周辺刺激Ｍ１、Ｍ２の輝度が漸減するため、ユーザは、周辺刺激Ｍ１、Ｍ２が表示されたことに気付き難いので、有効視野を拡大する訓練を更に効果的に行うことができる。
【０１０５】
本実施形態では、第１期間Ｐ１および第２期間Ｐ２が２００ｍｓｅｃに設定されている場合について説明するが、第１期間Ｐ１および第２期間Ｐ２が略同一の値に設定されていれば良い。また、第１期間Ｐ１と第２期間Ｐ２との和が略４００ｍｓｅｃに設定されていることが好ましい。この場合には、略４００ｍｓｅｃの期間内で、周辺刺激Ｍ１、Ｍ２の輝度が、漸増された後、漸減されるため、ユーザは、周辺刺激Ｍ１、Ｍ２が表示されたことに気付き難いので、有効視野を拡大する訓練を効果的に行うことができる。
【０１０６】
また、周辺刺激Ｍ１、Ｍ２の輝度の時間変化を正規分布状とするべく周辺刺激Ｍ１、Ｍ２の輝度が変化されるため、ユーザは、周辺刺激Ｍ１、Ｍ２が表示されたことに気付き難いので、有効視野を拡大する訓練を更に効果的に行うことができる。
【０１０７】
本実施形態では、周辺刺激表示部１２が、周辺刺激Ｍ１、Ｍ２の輝度の時間変化を正規分布状とするべく周辺刺激Ｍ１、Ｍ２の輝度を変化させる場合について説明するが、周辺刺激表示部１２が、周辺刺激Ｍ１、Ｍ２の輝度を漸増、漸減する形態であれば良い。例えば、周辺刺激表示部１２が、第１期間Ｐ１において直線状に輝度を漸増させ、第２期間Ｐ２において直線状に輝度を漸減させる形態でも良い。この場合には、処理が簡略化される。
【０１０８】
更に、訓練期間が、１０分に設定されているため、訓練期間が適正な値であるので、有効視野を拡大する訓練を更に効果的に行うことができる（図１１参照）。訓練期間が長すぎる場合には、ユーザが訓練に対する集中力を維持することができず、訓練期間が短すぎる場合には、訓練の効果を発揮することができない。
【０１０９】
再び、図３に戻って、視覚訓練ＥＣＵ１の機能構成について説明する。操作受付部１３（操作受付手段に相当する）は、ターンレバー２を介して、周辺刺激Ｍ１、Ｍ２が確認された場合に、ユーザからの確認操作を受け付ける機能部である。また、図２を用いて上述のように、第２ディスプレイ３２の左下端に第１周辺刺激Ｍ１が表示された場合には、確認操作は、左折時の方向指示操作であるターンレバー２を左上方に傾斜させる第１操作Ｄ１に設定され、第２ディスプレイ３２の右上端に第２周辺刺激Ｍ２が表示された場合には、確認操作は、右折時の方向指示操作であるターンレバー２を右下方に傾斜させる第２操作Ｄ２に設定されている。
【０１１０】
このようにして、ターンレバー２を介して、確認操作（ここでは、第１操作Ｄ１、第２操作Ｄ２）が受け付けられるため、確認操作を受け付けられるための操作端を新たに配設する必要がないので、更に簡素な構成で、有効視野を拡大する訓練を行うことができる。
【０１１１】
本実施形態では、操作受付部１３が、ターンレバー２を介して、確認操作（ここでは、第１操作Ｄ１、第２操作Ｄ２）を受け付ける場合について説明したが、車両ＶＣに搭載されているその他のスイッチ（例えば、パワーウィンドウの開閉スイッチ等）等を介して、確認操作（ここでは、第１操作Ｄ１、第２操作Ｄ２）を受け付ける形態でも良い。
【０１１２】
また、表示された周辺刺激が、第１周辺刺激Ｍ１であるか（又は、第２周辺刺激Ｍ２であるか）を判別可能な確認操作（ここでは、第１操作Ｄ１、第２操作Ｄ２）が受け付けられるため、ユーザの有効視野を更に正確に確認することができるので、有効視野を拡大する訓練を更に効果的に行うことができる。
【０１１３】
操作判定部１４（操作判定手段に相当する）は、操作受付部１３を介して受け付けられた確認操作が、正しい操作であるか否かを判定する機能部である。具体的には、操作判定部１４は、周辺刺激Ｍ１、Ｍ２の表示期間、および、確認操作が受け付けられたタイミングに基づいて、正しい操作であるか否かを判定する。
【０１１４】
ここで、図５を用いて、操作判定部１４の判定方法の一例について説明する。図に示すように、第１周辺刺激Ｍ１の表示を開始する時点Ｔ０から、予め設定された期間ΔＴ（ここでは、１００ｍｓｅｃ）経過後の時点ＴＡから、第１周辺刺激Ｍ１の表示を終了する時点Ｔ２から上記期間ΔＴ経過後の時点ＴＢまでの間（＝第１受付期間ＰＡ）に、操作受付部１３によって第１操作Ｄ１が受け付けられた場合に、操作判定部１４は、正しい操作であると判定する。ここで、期間ΔＴは、ユーザの反応期間である。
【０１１５】
同様に、第２周辺刺激Ｍ２の表示を開始する時点Ｔ３から、予め設定された期間ΔＴ（ここでは、１００ｍｓｅｃ）経過後の時点ＴＣから、第２周辺刺激Ｍ２の表示を終了する時点Ｔ５から上記期間ΔＴ経過後の時点ＴＤまでの間（＝第２受付期間ＰＢ）に、操作受付部１３によって第２操作Ｄ２が受け付けられた場合に、操作判定部１４は、正しい操作であると判定する。
【０１１６】
このようにして、周辺刺激Ｍ１、Ｍ２の表示期間からユーザの反応期間（例えば、１００ｍｓｅｃ）だけ遅延した期間内に、確認操作が受け付けられた場合に、正しい操作であると判定することによって、確認操作が正しい操作であるか否かを適正に評価することができる。
【０１１７】
再び、図３に戻って、視覚訓練ＥＣＵ１の機能構成について説明する。算出部１５（率算出手段、角算出手段に相当する）は、操作判定部１４の判定結果に基づいて、正しい操作を行った確率である正答率を求める機能部である。具体的には、算出部１５は、次の（１）式、（２）式を用いて、第１正答率α１、第２正答率α２を求めると共に、求めた第１正答率α１、第２正答率α２を、記憶部１６に記録する（＝書き込む）。ここで、第１正答率α１および第２正答率α２は、それぞれ、第１周辺刺激Ｍ１および第２周辺刺激Ｍ２が表示された場合の正答率である。
第１正答率α１＝（正しい第１操作Ｄ１を行った回数）
／（第１周辺刺激Ｍ１の表示回数）×１００（％）      （１）
第２正答率α２＝（正しい第２操作Ｄ２を行った回数）
／（第２周辺刺激Ｍ２の表示回数）×１００（％）      （２）
【０１１８】
また、算出部１５は、第１正答率α１、第２正答率α２に基づいて、予め設定された閾値α０（例えば、６３％）以上の正答率となる視野角である有効視野角を求め、求めた有効視野角を、記憶部１６に記録する（＝書き込む）。ここでは、以下で説明するように、視野角と正答率との関係が一次式で表されると仮定して、線形補間により有効視野角を求める。
【０１１９】
図６は、有効視野角の算出方法の一例を示すグラフである。グラフは、横軸が視野角（°）であって、縦軸が正答率α（％）である。また、図６に示す３つのグラフは、上から順に、それぞれ、下記の３つケースである。
ＣＡＳＥ１：閾値α０＞第２正答率α２＞第１正答率α１の場合
ＣＡＳＥ２：第２正答率α２＞閾値α０＞第１正答率α１の場合
ＣＡＳＥ３：第２正答率α２＞第１正答率α１＞閾値α０の場合
【０１２０】
図６に示すように、ＣＡＳＥ１〜ＣＡＳＥ３のいずれの場合にも、算出部１５は、第１正答率α１、第２正答率α２にそれぞれ対応する点（図の白丸○で示す点）を結ぶ直線と、正答率αが閾値α０である直線（＝横軸と平行な直線）との交点（図の黒丸●で示す点）に対応する視野角を、有効視野角θＡ、θＢ、θＣとして算出する。
【０１２１】
結果表示部１７（結果表示手段に相当する）は、算出部１５によって算出された正答率α１、α２を、第２ディスプレイ３２を介して、ユーザから視認可能に表示する機能部である。また、結果表示部１７は、記憶部１６に格納された正答率α１、α２を、第２ディスプレイ３２を介して、ユーザから視認可能に表示する。更に、結果表示部１７は、算出部１５によって算出された有効視野角を、第２ディスプレイ３２を介して、ユーザから視認可能に表示する。加えて、結果表示部１７は、記憶部１６に格納された有効視野角を、第２ディスプレイ３２を介して、ユーザから視認可能に表示する。
【０１２２】
このようにして、正しい操作を行った確率である正答率α１、α２が、第２ディスプレイ３２を介して、ユーザから視認可能に表示されるため、ユーザの有効視野を適正に評価することができるので、有効視野を拡大する訓練を更に効果的に行うことができる。
【０１２３】
また、記憶部１６に格納された正答率α１、α２が、第２ディスプレイ３２を介して、例えば、正答率α１、α２の推移として表示されるため、ユーザは訓練の効果を適正に評価することができるので、有効視野を拡大する訓練を更に効果的に行うことができる。
【０１２４】
更に、第２ディスプレイ３２を介して、有効視野角が視認可能に表示されるため、有効視野を拡大する訓練を更に効果的に行うことができる。加えて、記憶部１６に格納された有効視野角が、第２ディスプレイ３２を介して、例えば、有効視野角の推移として表示されるため、ユーザは訓練の効果を適正に評価することができるので、有効視野を拡大する訓練を更に効果的に行うことができる。
【０１２５】
図７は、結果表示部１７によって第２ディスプレイ３２を介して表示される結果表示画面の一例を示す画面図である。図７に示す画面図の内、上側の画面図は、訓練の結果として算出部１５によって求められた有効視野角が、予め設定された閾値（ここでは、「合格視野角」という：例えば、３５°）未満である場合に表示される不合格画面４００の一例を示す画面図である。また、図７に示す画面図の内、下側の画面図は、訓練の結果として算出部１５によって求められた有効視野角が、予め設定された閾値（＝合格視野角：ここでは、３５°）以上である場合に表示される合格画面４１０の一例を示す画面図である。
【０１２６】
不合格画面４００には、メッセージ表示部４０１、合格視野角表示部４０２、および、今回視野角表示部４０３が表示されている。メッセージ表示部４０１は、ユーザへのメッセージを表示するものであって、ここでは、訓練の結果の有効視野角が合格視野角に到達していないため、「もう少しです。頑張りましょう！」とのメッセージが表示されている。
【０１２７】
合格視野角表示部４０２、および、今回視野角表示部４０３は、合格視野角および今回の訓練の結果として算出された有効視野角を、それぞれ、レーダーチャート状に表示するものであって、半径が視野角の大きさを示している。ここでは、合格視野角表示部４０２が、今回視野角表示部４０３の外側に表示されているため、今回の訓練の結果である有効視野角が合格視野角に到達していないことが判る。また、合格視野角表示部４０２は、ここでは、一点鎖線で表示され、今回視野角表示部４０３は、太い実線で表示されている。
【０１２８】
合格画面４１０には、メッセージ表示部４１１、合格視野角表示部４１２、今回視野角表示部４１３、および、前回視野角表示部４１４が表示されている。メッセージ表示部４１１は、ユーザへのメッセージを表示するものであって、ここでは、訓練の結果の有効視野角が合格視野角に到達したため、「おめでとうございます。合格です！」とのメッセージが表示されている。
【０１２９】
合格視野角表示部４１２、今回視野角表示部４１３、および、前回視野角表示部４１４は、合格視野角、今回の訓練の結果として算出された有効視野角、および、前回の訓練の結果として算出された有効視野角を、それぞれ、レーダーチャート状に表示するものであって、半径が視野角の大きさを示している。ここでは、合格視野角表示部４１２が、今回視野角表示部４１３の内側に表示されているため、今回の訓練の結果である有効視野角が合格視野角に到達したことが判る。更に、合格視野角表示部４１２が、前回視野角表示部４１４の外側に表示されているため、前回の訓練の結果である有効視野角が合格視野角に到達していなかったことが判る。また、合格視野角表示部４１２は、ここでは、一点鎖線で表示され、今回視野角表示部４１３は、太い実線で表示され、前回視野角表示部４１４は、破線で表示されている。
【０１３０】
図７に示すように、第２ディスプレイ３２を介して、今回の訓練の結果である有効視野角が、前回の訓練の結果である有効視野角、および、合格視野角と比較可能に表示されるため、ユーザは訓練の効果を適正に評価することができるので、有効視野を拡大する訓練を更に効果的に行うことができる。
【０１３１】
図８、図９は、第１の実施形態に係る視覚訓練ＥＣＵ１の動作の一例を示すフローチャートである。まず、図８に示すように、中心刺激表示部１１によって、訓練を開始するか否かの判定が行われる（Ｓ１０１）。訓練を開始しないと判定された場合（Ｓ１０１でＮＯ）には、処理が待機状態とされる。訓練を開始すると判定された場合（Ｓ１０１でＹＥＳ）には、中心刺激表示部１１によって、第１ディスプレイ３１上に、中心刺激ＭＣが表示される（Ｓ１０３）。そして、周辺刺激表示部１２によって、第２ディスプレイ３２上に、第１周辺刺激Ｍ１（又は、第２周辺刺激Ｍ２）が表示される（Ｓ１０５）。
【０１３２】
次いで、操作判定部１４によって、第１受付期間ＰＡ（又は、第２受付期間ＰＢ）が開始したか否かの判定が行われる（Ｓ１０７）。第１受付期間ＰＡ（又は、第２受付期間ＰＢ）が開始していないと判定された場合（Ｓ１０７でＮＯ）には、処理が待機状態とされる。第１受付期間ＰＡ（又は、第２受付期間ＰＢ）が開始したと判定された場合（Ｓ１０７でＹＥＳ）には、操作判定部１４によって、操作受付部１３を介して確認操作（＝第１操作Ｄ１、又は、第２操作Ｄ２）が受け付けられたか否かの判定が行われる（Ｓ１０９）。確認操作（＝第１操作Ｄ１、又は、第２操作Ｄ２）が受け付けられていないと判定された場合（Ｓ１０９でＮＯ）には、処理がステップＳ１１５に進められる。
【０１３３】
確認操作（＝第１操作Ｄ１、又は、第２操作Ｄ２）が受け付けられたと判定された場合（Ｓ１０９でＹＥＳ）には、操作判定部１４によって、操作方向が正しいか否かの判定が行われる（Ｓ１１１）。操作方向が正しいと判定された場合（Ｓ１１１でＹＥＳ）には、操作判定部１４によって、正答であると判定され（Ｓ１１３）、処理がステップＳ１１９に進められる。操作方向が正しくないと判定された場合（Ｓ１１１でＮＯ）には、操作判定部１４によって、正答ではないと判定され（Ｓ１１７）、処理がステップＳ１１９に進められる。
【０１３４】
ステップＳ１０９でＮＯの場合には、操作判定部１４によって、第１受付期間ＰＡ（又は、第２受付期間ＰＢ）が経過したか否かの判定が行われる（Ｓ１１５）。第１受付期間ＰＡ（又は、第２受付期間ＰＢ）が経過していないと判定された場合（Ｓ１１５でＮＯ）には、処理がステップＳ１０９に戻され、ステップＳ１０９以降の処理が繰り返し実行される。第１受付期間ＰＡ（又は、第２受付期間ＰＢ）が経過したと判定された場合（Ｓ１１５でＹＥＳ）には、操作判定部１４によって、正答ではないと判定される（Ｓ１１７）。
【０１３５】
ステップＳ１１７の処理が終了した場合、又は、ステップＳ１１３の処理が終了した場合には、中心刺激表示部１１によって、訓練期間が経過したか否かの判定が行われる（Ｓ１１９）。訓練期間が経過していないと判定された場合（Ｓ１１９でＮＯ）には、処理がステップＳ１０３に戻され、ステップＳ１０３以降の処理が繰り返し実行される。訓練期間が経過したと判定された場合（Ｓ１１９でＹＥＳ）には、図９に示すように、算出部１５によって、第１正答率α１、第２正答率α２が算出されると共に、求められた第１正答率α１、第２正答率α２が記憶部１６に記録される（Ｓ１２１）。そして、算出部１５によって、有効視野角が求められ、求められた有効視野角が記憶部１６に記録される（Ｓ１２３）。
【０１３６】
次に、結果表示部１７によって、ステップＳ１２３において求められた有効視野角が閾値（＝「合格視野角」：ここでは、３５°）以上であるか否かの判定が行われる（Ｓ１２５）。有効視野角が合格視野角以上であると判定された場合（Ｓ１２５でＹＥＳ）には、結果表示部１７によって、図７に示す合格画面４１０が表示され（Ｓ１２９）、処理が終了される。有効視野角が合格視野角未満であると判定された場合（Ｓ１２５でＮＯ）には、結果表示部１７によって、図７に示す不合格画面４００が表示され（Ｓ１２７）、処理が終了される。
【０１３７】
このようにして、中心刺激ＭＣの周囲に予め設定された所定の視野角だけ離間した位置に、周辺刺激Ｍ１、Ｍ２が、中心刺激ＭＣの表示周期よりも長い表示周期で表示されるため、中心刺激ＭＣにユーザの注意若しくは視線又はその両方を適度に向けさせた状態で、ユーザに中心刺激ＭＣから所定の視野角だけ離間した位置の周辺刺激Ｍ１、Ｍ２を確認させることができるので、有効視野を拡大する訓練を効果的に行うことができる。また、中心刺激ＭＣおよび周辺刺激Ｍ１、Ｍ２を表示して、周辺刺激Ｍ１、Ｍ２が確認された場合に、ユーザからの確認操作が受け付けられるため、簡素な構成で有効視野を拡大する訓練を行うことができる。
【０１３８】
次に、図１０〜図１３を用いて、第１の実施形態に係る視覚訓練装置の訓練期間等を決定する根拠とした実験（以下、「効果確認テスト」という）の内容および結果について説明する。図１０は、効果確認テストを行った実験装置の構成の一例を示す平面図、側面図である。図１０の上側に、平面図を示し、下側に側面図を示している。図に示すように、実験装置は、被験者ＰＳの視界の正面に配設されたディスプレイＤＳＰを備えている。また、ディスプレイＤＳＰは、被験者ＰＳから２０ｃｍだけ離間させた位置に配設されている。更に、被験者ＰＳからディスプレイＤＳＰを見た視野角は、左右方向に角φ１（ここでは、９０°）であり、上下方向に角φ２（ここでは、７４°）である。
【０１３９】
図１１は、効果確認テストにおいてディスプレイＤＳＰに表示されるテスト画面の一例を示す画面図である。図に示すように、ディスプレイＤＳＰの略中央位置には、中心刺激ＣＰが表示され、中心刺激ＣＰから所定の視野だけ離間した位置に周辺刺激ＳＰが表示される。ここで、周辺刺激ＳＰは、中心刺激ＣＰを基準として、右上方向、右下方向、左上方向、および、左下方向のいずれかの方向に、中心刺激ＣＰから視野角５°、１５°、２５°、３５°、４５°の位置（＝全２５箇所）の内、１点が白色に点灯される。ここでは、左下方向の視野角２５°の位置が点灯している点ＬＰとして表示されている。
【０１４０】
また、中心刺激ＣＰは、ＲＳＶＰ（Rapid Serial Visual Presentation）刺激であって、文字の大きさは、視野角で０．８°×１．０°である。また、中心刺激ＣＰは、背景を黒色として、白色で表示され、その輝度は、５４ｃｄ／ｍ2である。また、中心刺激ＣＰ
は、１文字当たり略１４０ｍｓｅｃ〜２００ｍｓｅｃの間、表示される。
【０１４１】
周辺刺激ＳＰは、図に示すように白色の丸（図では、便宜上、黒色の丸として表示している）として表示され、その大きさは、直径が視野角で１．２°である。また、周辺刺激ＳＰの輝度は、図５に示す第１周辺刺激Ｍ１、第２周辺刺激Ｍ２と同様に、輝度の時間変化を正規分布状とするべく輝度が、図５の第１期間Ｐ１および第２期間Ｐ２に相当する期間である４００ｍｓｅｃの間において変化される。また、周辺刺激ＳＰの最大輝度は、４４ｃｄ／ｍ2である。
【０１４２】
図１２は、図１１、図１２を用いて説明した実験装置で行われた効果確認テストのテスト結果の一例を示す折れ線グラフである。図の横軸は、効果確認テストの実施タイミングであって、縦軸は、正答率が６３％以上となる視野角である有効視野角である。ここでは、図に示すように、訓練前、４回の訓練、訓練後の計６回の効果確認テストを行っている。実線で示すグラフＧ１１、Ｇ１２は、各回のテスト期間が１０分である被験者の有効視野角の変化を示すグラフであって、破線で示すグラフＧ２１、Ｇ２２は、各回のテスト期間が４０分である被験者の有効視野角の変化を示すグラフである。この図から判るように、テスト期間が１０分である被験者は、グラフＧ１１、Ｇ１２が右上がりとなっていることからわかるように、訓練の効果が顕著に表れているが、テスト期間が４０分である被験者は、グラフＧ２１、Ｇ２２の変化が不明確となっていることからわかるように、訓練の効果が顕著に表れていない。このテスト結果から、第１の実施形態に係る視覚訓練装置の訓練期間は１０分に設定している。
【０１４３】
図１３は、図１１、図１２を用いて説明した実験装置で行われた効果確認テストのテスト結果の一例を示すレーダーチャートである。放射状の軸は、各方向の視野角である。また、図１３の破線で示すチャートＧ４は、訓練前の視野角を示し、図１３の実線で示すチャートＧ３は、訓練後の視野角を示す。図１３によれば、図１１に示すように、４５°、１３５°、２２５°、３１５°の４方向の訓練を行っているにも拘わらず、訓練を行っていない０°、９０°、１８０°、２７０°の４方向も同様に有効視野角が拡大している。従って、視野角を拡大するために、必ずしも全方向について訓練を行わずとも視野を拡大する効果を得られることが判る。このテスト結果から、第１の実施形態に係る視覚訓練装置では、図４に示すように、周辺刺激Ｍ１、Ｍ２としては、中心刺激ＭＣを基準にして、左下側の１方向のみの訓練とした例を示している。
【０１４４】
なお、第１の実施形態に係る視覚訓練装置（視覚訓練ＥＣＵ１）は、上記実施形態に限定されず、下記の形態でも良い。
（Ａ）上記第１の実施形態では、操作受付部１３が、ターンレバー２を介して、確認操作を受け付ける場合について説明したが、操作受付部１３が、その他の操作部材（例えば、前照灯のオンオフスイッチ、パワーウィンドウの開閉スイッチ等）を介して、確認操作を受け付ける形態でも良い。この場合には、更に訓練効果を高めることができる。
できる。
【０１４５】
（Ｂ）上記第１の実施形態では、操作判定部１４が、第１操作Ｄ１および第２操作Ｄ２を区別して判定する場合について説明したが、操作判定部１４が、第１操作Ｄ１および第２操作Ｄ２を区別しないで判定する形態でも良い。すなわち、操作判定部１４が、第１受付期間ＰＡ（又は、第２受付期間ＰＢ）内で、第１操作Ｄ１又は第２操作Ｄ２が受け付けられた場合に、正しい操作であると判定するのである。この場合には、処理が簡略化される。
【０１４６】
（第２の実施形態）
上記第１の実施形態では、周辺刺激表示部１２が、第２ディスプレイ３２を介して周辺刺激Ｍ１、Ｍ２を表示する場合について説明したが、周辺刺激表示部１２は、その他の表示機器、ＬＥＤ（Light Emitting Diode）等を介して、中心刺激ＭＣを基準として複数の方向に周辺刺激を表示しても構わない。また、第１の実施形態では、視覚訓練ＥＣＵ１がターンレバー２を介してユーザからの確認操作を受け付け、正答率の算出および表示を行う例について説明したが、視覚訓練ＥＣＵ１がユーザからの確認操作を受け付けない態様としても構わない。また、視覚訓練ＥＣＵ１は、車両が所定の走行状況にある場合に自動的に上記図８に示した訓練処理を開始しても構わない。以下、これらの態様で構成された本発明第２の実施形態に係る視覚訓練装置について詳細に説明する。なお、第２の実施形態に係る視覚訓練装置は、車両ＶＣに搭載されているものとする。
【０１４７】
まず、図１４および図１５を参照して、第２の実施形態に係る視覚訓練装置の構成について説明する。なお、図１４は、第２の実施形態に係る視覚訓練装置の構成の一例を示すブロック図である。図１５は、第２の実施形態に係る視覚訓練装置の構成の一例を示す搭載図である。図１４および図１５において、第１の実施形態と同様の構成要素については同じ符号を付し、詳細な説明は省略する。
【０１４８】
図１４に示すように、第２の実施形態に係る視覚訓練ＥＣＵ１は、ＥＴＣ車載機４１、車速センサ４２、ステアリングセンサ４３、ナビゲーション装置４４、および出力機器３としての第１ディスプレイ３１、第２ディスプレイ３２と通信可能に接続されている。
【０１４９】
ＥＴＣ車載機４１は、車両ＶＣに搭載され、高速道路のゲート（所謂、料金所）を通過する際に自動的に当該高速道路の利用料金を精算する装置である。ＥＴＣ車載機４１は、車両ＶＣが高速道路のゲートを通過する際に当該ゲートに備えられた通信装置と無線通信することによって、車両ＶＣが高速道路に進入したことを確認する。そして、ＥＴＣ車載機４１は、車両ＶＣが高速道路に進入したことを確認すると、高速道路進入信号を視覚訓練ＥＣＵ１へ出力する。
【０１５０】
車速センサ４２は、車両ＶＣに備えられ、車両ＶＣの走行速度Ｖを検出する測定器である。車速センサ４２は、検出した走行速度Ｖの値を示すデータを視覚訓練ＥＣＵ１へ出力する。
【０１５１】
ステアリングセンサ４３は、車両ＶＣに備えられ、車両ＶＣの操舵角ωを検出する。ステアリングセンサ４３は、検出した操舵角ωの値を示すデータを視覚訓練ＥＣＵ１へ出力する。
【０１５２】
ナビゲーション装置４４は、車両ＶＣの現在の位置情報および道路地図情報を取得し、車両ＶＣの周囲の道路情報を獲得する装置である。ナビゲーション装置４４は、車両ＶＣが交差点近傍を走行している場合、交差点近傍を走行していることを示す交差点走行信号を視覚訓練ＥＣＵ１へ出力する。
【０１５３】
ルームミラーランプ３３は、ＬＥＤ等の発光装置である。ルームミラーランプ３３は、車両ＶＣのルームミラーに搭載され、運転者から視認可能な位置に配置される。ルームミラーランプ３３は、視覚訓練ＥＣＵ１からの指示に従って点灯することによって周辺刺激として機能する。なお、ルームミラーランプ３３の形状は、任意の形状として良いが、上述第１周辺刺激Ｍ１および第２周辺刺激Ｍ２を示す画像と同様の形状とすることが好ましい。例えば、ルームミラーランプ３３は、直径１７ｍｍの白色の円とすると良い。
【０１５４】
ターンミラーランプ３４は、ＬＥＤ等の発光装置である。ターンミラーランプ３４は、車両ＶＣのドアミラーに搭載され、運転者から視認可能な位置に配置される。典型的には、ターンミラーランプ３４は、従来、方向指示器としてドアミラーに備えられている発光装置である。ターンミラーランプ３４は、視覚訓練ＥＣＵ１からの指示に従って点灯することによって周辺刺激として機能する。
【０１５５】
図１６は、第２の実施形態に係る視覚訓練ＥＣＵ１の機能構成の一例を示すブロック図である。図１６に示すように、視覚訓練ＥＣＵ１は、機能的に、中心刺激表示部１１、周辺刺激表示部１２、および走行状況判定部１８を備えている。なお、視覚訓練ＥＣＵ１は、第１の実施形態と同様に、視覚訓練ＥＣＵ１の適所に配設されたマイクロコンピュータに、視覚訓練ＥＣＵ１の適所に配設されたＲＯＭ（Read Only Memory）等に予め格納された制御プログラムを実行させることにより、当該マイクロコンピュータを、機能的に、中心刺激表示部１１、周辺刺激表示部１２、および走行状況判定部１８等の機能部として機能させる。
【０１５６】
走行状況判定部１８は、ＥＴＣ車載機４１、車速センサ４２、ステアリングセンサ４３、ナビゲーション装置４４からの入力信号に応じて、車両ＶＣの走行状況を判別する。そして、走行状況判定部１８は、車両ＶＣの走行状況に応じて、中心刺激表示部１１および周辺刺激表示部１２に対し中心刺激および周辺刺激の表示の開始および停止を指示する。
【０１５７】
第２の実施形態に係る周辺刺激表示部１２は、走行状況判定部１８からの指示に応じて、第２ディスプレイ３２、ルームミラーランプ３３、およびターンミラーランプ３４を介して周辺刺激を表示する。具体的には、周辺刺激表示部１２は、第２ディスプレイ３２、ルームミラーランプ３３、およびターンミラーランプ３４のいずれかのデバイスをランダムに順次選択し、選択中のデバイスを介して周辺刺激を表示する。
【０１５８】
周辺刺激表示部１２は、ルームミラーランプ３３、およびターンミラーランプ３４のいずれかを選択している場合、当該選択したデバイスを点灯させることによって周辺刺激を表示する。この際、ルームミラーランプ３３、およびターンミラーランプ３４の輝度の時間変化を、上述周辺刺激Ｍ１、Ｍ２と同様に所定時間漸増した後、漸減するよう制御することが好ましい。より好ましくは、輝度の時間変化を正規分布状とすると良い。
【０１５９】
なお、周辺刺激表示部１２は、第２ディスプレイ３２を介して周辺刺激を表示する場合、上述第１の実施形態と同様にして周辺刺激Ｍ１、Ｍ２を表示する。また、第２の実施形態に係る中心刺激表示部１１および周辺刺激表示部１２が、各々、中心刺激および周辺刺激を表示する周期や輝度の制御方法等は上述第１の実施形態と同様である。
【０１６０】
このように、第２の実施形態に係る周辺刺激表示部１２は、車室内外に備えられたランプを介して周辺刺激を表示することができる。したがって、液晶ディスプレイ等の画像表示機器を多数備えなくとも、容易且つ安価に多数の箇所に周辺刺激を表示させることができる。また、ドアミラーやルームミラーなど、運転者が運転中に定期的に視認すべき機器に上記ランプが備えられているため、当該視認すべき機器に運転者の視線を誘導し、適切な有効視野の拡大を行うことができる。また、ターンミラーランプ３４が予め搭載されている車両については、改めてランプをドアミラーに備える必要がなく、ターンミラーランプ３４を、周辺刺激を表示するためのデバイスとして流用することができる。
【０１６１】
なお、第２の実施形態に係る視覚訓練装置の構成では、周辺刺激を呈示するためのランプがルームミラーやドアミラーに配置されている例について説明したが、このようなランプの配置は一例であり、当該ランプは運転者から視認可能な位置であれば、車両ＶＣの任意の位置に配置して構わない。
【０１６２】
図１７は、第２の実施形態に係る視覚訓練ＥＣＵ１の動作の一例を示すフローチャートである。まず、図１７に示すように、走行状況判定部１８によって、車両ＶＣが高速道路へ進入したか否かの判定が行われる（Ｓ２０１）。具体的には、走行状況判定部１８はＥＴＣ車載機から高速道路進入信号を受信した場合、車両ＶＣが高速道路へ進入したと判定し、高速道路進入信号を受信していない場合、車両ＶＣは一般道を走行していると判定する。
【０１６３】
高速道路へ進入したと判定された場合（Ｓ２０１でＹＥＳ）には、走行状況判定部によって高速道路へ進入後の経過時間Ｔが測定される（Ｓ２０２）。そして、走行状況判定部１８によって、経過時間Ｔが予め定められた閾値Ｔｔｈ以上であるか否かの判定が行われる（Ｓ２０３）。経過時間Ｔが予め定められた閾値Ｔｔｈ以上であると判定された場合（ステップＳ２０３でＹＥＳ）、中心刺激表示部１１および周辺刺激表示部１２によって、中心刺激および周辺刺激の表示が開始される（Ｓ２０４）。一方、経過時間Ｔが予め定められた閾値Ｔｔｈ未満であると判定された場合（ステップＳ２０３でＮＯ）、中心刺激表示部１１および周辺刺激表示部１２によって、中心刺激および周辺刺激の表示が停止した状態に維持される（Ｓ２０５）。
【０１６４】
高速道路へ進入していないと判定された場合（Ｓ２０１でＮＯ）には、走行状況判定部１８によって、操舵角ωの値が予め定められた閾値ωｔｈ以下であるか否かの判定が行われる（Ｓ２０７）。具体的には、走行状況判定部１８は、ステアリングセンサ４３から操舵角ωの値を取得し、閾値ωｔｈ以下であるか否か判定する。操舵角ωの値が予め定められた閾値ωｔｈ以下であると判定された場合（Ｓ２０７でＹＥＳ）、さらに走行状況判定部１８によって、走行速度Ｖが予め定められた閾値Ｖｔｈ以下であるか否かの判定が行われる（Ｓ２０８）。具体的には、走行状況判定部１８は、車速センサ４２から取得した走行速度Ｖが閾値Ｖｔｈ以下であるか判定する。一方、操舵角ωの値が予め定められた閾値ωｔｈより大きいと判定された場合（Ｓ２０７でＮＯ）、中心刺激表示部１１および周辺刺激表示部１２によって、中心刺激および周辺刺激の表示が停止される（Ｓ２０５）。
【０１６５】
走行速度Ｖが閾値Ｖｔｈ以下であると判定された場合（Ｓ２０８でＹＥＳ）、走行状況判定部１８によって、車両ＶＣが交差点近傍を走行中であるか否かの判定が行われる（Ｓ２０９）。具体的には、走行状況判定部１８は、ナビゲーション装置４４から交差点走行信号が入力されている場合、車両ＶＣが交差点近傍を走行中であると判定し、交差点走行信号が入力されていない場合、車両ＶＣが交差点近傍を走行中でないと判定する。車両ＶＣが交差点近傍を走行中であると判定された場合（Ｓ２０９でＹＥＳ）、中心刺激表示部１１および周辺刺激表示部１２によって、中心刺激および周辺刺激の表示が停止される（Ｓ２０５）。一方、車両ＶＣが交差点近傍を走行中でないと判定された場合（Ｓ２０９でＮＯ）、中心刺激表示部１１および周辺刺激表示部１２によって、中心刺激および周辺刺激の表示が開始される（Ｓ２０４）。
【０１６６】
このように、第２の実施形態に係る視覚訓練ＥＣＵ１によれば、車両ＶＣが所定の走行状況にあるか否かに応じて、中心刺激および周辺刺激の表示／非表示を制御することができる。すなわち、ユーザが自ら訓練の開始を指示しなくても、適切なタイミングで自動的に訓練を開始することができる。より具体的には、車両ＶＣが高速道路を走行している場合、および、車両ＶＣが所定の速度以上で略直進走行している場合など、運転者の視線が車両前方に固定されて視野が狭まり易い状況において、有効視野を拡大する訓練を開始させることができる。
【０１６７】
なお、上記図１７のフローチャートでは車両ＶＣが高速道路へ進入していない場合にＳ２０７およびＳ２０８の処理を実行する例について説明したが、車両ＶＣが高速道路を走行中であって、尚かつ、所定の速度以上で略直進走行している場合にのみ、中心刺激および周辺刺激を表示させる態様としても構わない。
【０１６８】
上記の通り、第２の実施形態においては、ユーザの確認操作を受け付けない態様としているが、ユーザの確認操作を受け付けない態様であっても、中心刺激および周辺刺激を表示することによって有効視野の拡大効果があることが実験的に明らかとなっている。図１８は、第２の実施形態に係る視覚訓練装置で訓練した後に実施した効果確認テストのテスト結果の一例を示すレーダーチャートである。放射状の軸は、各方向の視野角である。また、図１８の破線で示すチャートＧ６は、訓練前の視野角を示し、図１８の実線で示すチャートＧ５は、訓練後の視野角を示す。図１８によれば、訓練後の視野角Ｇ５は訓練前の視野角Ｇ６に比べて全ての領域において拡大していることがわかる。すなわち、ユーザの確認操作を受け付けない態様であっても、中心刺激および周辺刺激を表示することによって有効視野の拡大効果があることが認められる。
【０１６９】
以上より、第２の実形態に係る視覚訓練装置においても、第１の実施形態と同様にユーザの有効視野を拡大する訓練を行うことができる。
【０１７０】
なお、上記第１および第２の実施形態に係る視覚訓練装置（視覚訓練ＥＣＵ１）は、各々上記実施形態に限定されず、下記の形態でも良い。
（Ｃ）上記各実施形態においては、視覚訓練ＥＣＵ１が、機能的に、中心刺激表示部１１、周辺刺激表示部１２、操作受付部１３、操作判定部１４、算出部１５、記憶部１６、結果表示部１７等を備える場合について説明したが、中心刺激表示部１１、周辺刺激表示部１２、操作受付部１３、操作判定部１４、算出部１５、記憶部１６、および、結果表示部１７の内、少なくとも１つの機能部が電気回路等のハードウェアによって実現されている形態でも良い。
（Ｄ）上記各実施形態においては、視覚訓練装置（視覚訓練ＥＣＵ１）が、車両に搭載されている場合について説明したが、視覚訓練装置が、部屋等に配設されている形態でも良いし、携帯可能に構成されている形態でも良い。例えば、部屋等に配設されているテレビジョンを介して、図１１に示す中心刺激ＣＰ、および周辺刺激ＳＰを表示することによって視覚訓練装置を構成する形態でも良い。また、例えば、携帯電話のディスプレイに、図１１に示す中心刺激ＣＰ、および周辺刺激ＳＰを表示することによって視覚訓練装置を構成する形態でも良い。
【０１７１】
（Ｅ）上記各実施形態では、中心刺激表示部１１が、第１ディスプレイ３１を介して中心刺激ＭＣを表示する場合について説明したが、中心刺激表示部１１が、ＨＵＤ（Head Up Display）等を介して中心刺激ＭＣを表示する形態でも良い。具体的には、中心刺激表示部１１は、光波を車両ＶＣのフロントガラスに投光することにより当該フロントガラス上に中心刺激ＭＣを表示する。このようにＨＵＤを介して中心刺激ＭＣを表示する場合、運転者はフロントガラス越しに車両前方を視認しつつ、フロントガラスに投影される中心刺激を確認することができる。したがって、運転者が中心刺激を注視し過ぎて車両前方の視認を怠ることを防ぐことができる。
【産業上の利用可能性】
【０１７２】
本発明は、例えば、有効視野を拡大するべく、ユーザに訓練を行わせる視覚訓練装置に適用することができる。より特定的には、例えば、車両に搭載され、有効視野を拡大するべく、ユーザに訓練を行わせる視覚訓練装置に適用することができる。
【符号の説明】
【０１７３】
１    視覚訓練ＥＣＵ（視覚訓練装置）
１１    中心刺激表示部（中心刺激表示手段）
１２    周辺刺激表示部（周辺刺激表示手段）
１３    操作受付部（操作受付手段）
１４    操作判定部（操作判定手段）
１５    算出部（率算出手段、角算出手段）
１６    記憶部（率記憶手段、角記憶手段）
１７    結果表示部（結果表示手段）
１８    走行状況判定部（走行状況判定手段）
２    ターンレバー
３    出力機器
３１  第１ディスプレイ
３２  第２ディスプレイ
３３  ルームミラーランプ
３４  ターンミラーランプ
４１  ＥＴＣ車載機
４２  車速センサ
４３  ステアリングセンサ
４４  ナビゲーション装置
【図１】
2010259769.tif 000003
【図２】
2010259769.tif 000004
【図３】
2010259769.tif 000005
【図４】
2010259769.tif 000006
【図５】
2010259769.tif 000007
【図６】
2010259769.tif 000008
【図７】
2010259769.tif 000009
【図８】
2010259769.tif 000010
【図９】
2010259769.tif 000011
【図１０】
2010259769.tif 000012
【図１１】
2010259769.tif 000013
【図１２】
2010259769.tif 000014
【図１３】
2010259769.tif 000015
【図１４】
2010259769.tif 000016
【図１５】
2010259769.tif 000017
【図１６】
2010259769.tif 000018
【図１７】
2010259769.tif 000019
【図１８】
2010259769.tif 000020